(57)【要約】【課題】ユーザーの操作の手間を軽減すると共に、ＣＰＵの処理負荷を軽減可能な画像形成装置、及び表示制御方法を提供すること。【解決手段】画像形成装置は、シートに画像を形成する画像形成部と、予め定められた分割操作に応じて、表示対象Ｔ１の一部を表示する表示画面に替えて、表示対象Ｔ１の一部をそれぞれが表示する分割画面Ｇ１１及び分割画面Ｇ１２を表示部に表示させる分割表示処理部と、予め定められた移動操作に応じて、表示対象Ｔ１における分割画面Ｇ１１に対応する表示範囲Ａ１１及び分割画面Ｇ１２に対応する表示範囲Ａ１２のいずれかを移動させる移動処理部と、を備える。【選択図】図５
2018181098.tif 000002
【特許請求の範囲】
【請求項１】
シートに画像を形成する画像形成部と、
予め定められた分割操作に応じて表示対象の少なくとも一部をそれぞれが表示する複数の分割画面を表示部に表示させる分割表示処理部と、
を備える画像形成装置。
【請求項２】
前記分割表示処理部は、前記表示対象の一部を表示する表示画面に替えて、前記表示画面の表示内容の少なくとも一部をそれぞれが表示する複数の前記分割画面を前記表示部に表示させ、
前記画像形成装置は、予め定められた移動操作に応じて前記表示対象におけるいずれか一つの前記分割画面に対応する表示範囲を移動させる移動処理部を備える、
請求項１に記載の画像形成装置。
【請求項３】
いずれか一つの前記分割画面を指定する指定操作に応じて、前記表示対象における前記指定操作によって指定された指定分割画面に対応する表示範囲の移動を禁止する禁止処理部を備える、
請求項２に記載の画像形成装置。
【請求項４】
前記禁止処理部は、前記指定分割画面における操作入力に応じた一部又は全部の処理の実行を禁止する、
請求項３に記載の画像形成装置。
【請求項５】
前記禁止処理部は、前記指定分割画面を識別可能に表示させる、
請求項３又は４に記載の画像形成装置。
【請求項６】
予め定められた解除操作に応じて、複数の前記分割画面に替えて前記表示画面を前記表示部に表示させる解除処理部を備える、
請求項３〜５のいずれかに記載の画像形成装置。
【請求項７】
前記表示部への操作を検出可能なタッチパネルを備え、
前記解除操作は、前記指定分割画面上におけるタッチ位置をいずれか一つの方向へ移動させる操作であって、
前記解除処理部は、複数の前記分割画面に替えて複数の前記分割画面のうち前記解除操作の移動方向に基づいて特定されるいずれか一つの前記分割画面の表示内容を含む前記表示画面を前記表示部に表示させる、
請求項６に記載の画像形成装置。
【請求項８】
前記指定操作に応じて、前記指定分割画面とは異なる前記分割画面の表示内容を前記表示画面の表示内容の一部又は全部とは異なる内容に変更する表示変更部を備える、
請求項３〜７のいずれかに記載の画像形成装置。
【請求項９】
シートに画像を形成する画像形成部を備える画像形成装置で実行される表示制御方法であって、
予め定められた分割操作を受け付けることと、
前記分割操作に応じて表示対象の少なくとも一部をそれぞれが表示する複数の分割画面を表示部に表示させることと、
を含む表示制御方法。
【発明の詳細な説明】
【技術分野】
【０００１】
本発明は、シートに画像を形成可能な画像形成装置、及び前記画像形成装置で実行される表示制御方法に関する。
【背景技術】
【０００２】
複合機のような画像形成装置には、液晶ディスプレーのような表示部が設けられることがある（例えば、特許文献１参照）。また、この種の画像形成装置では、ウェブページのような表示部の表示可能サイズよりサイズが大きい表示対象の一部が表示部に表示されることがある。
【先行技術文献】
【特許文献】
【０００３】
【特許文献１】特開２０１６−１１８９５９号公報
【発明の概要】
【発明が解決しようとする課題】
【０００４】
ところで、画像形成装置のユーザーは、表示部に表示されている表示対象の一部の内容を確認する際に、前記表示部に表示されていない前記表示対象の他の一部の内容を並行して参照したいことがある。この場合、ユーザーは、画像形成装置を操作して、前記表示対象における前記表示部に表示される表示範囲を、前記表示対象における並行して内容を確認したい箇所各々の間でスクロールさせる。
【０００５】
しかしながら、前記表示範囲を前記表示対象における並行して内容を確認したい箇所各々の間で往復させる操作は、ユーザーにとって手間である。また、このような操作が印刷処理の実行中に行われる場合には、ＣＰＵの処理負荷が増大して、前記印刷処理の実行速度が低下することがある。
【０００６】
本発明の目的は、ユーザーの操作の手間を軽減すると共に、ＣＰＵの処理負荷を軽減可能な画像形成装置、及び表示制御方法を提供することにある。
【課題を解決するための手段】
【０００７】
本発明の一の局面に係る画像形成装置は、画像形成部と、分割表示処理部とを備える。前記画像形成部は、シートに画像を形成する。前記分割表示処理部は、予め定められた分割操作に応じて表示対象の少なくとも一部をそれぞれが表示する複数の分割画面を表示部に表示させる。
【０００８】
本発明の他の局面に係る表示制御方法は、シートに画像を形成する画像形成部を備える画像形成装置で実行され、予め定められた分割操作を受け付けることと、前記分割操作に応じて表示対象の少なくとも一部をそれぞれが表示する複数の分割画面を表示部に表示させることと、を含む。
【発明の効果】
【０００９】
本発明によれば、ユーザーの操作の手間を軽減すると共に、ＣＰＵの処理負荷を軽減可能な画像形成装置、及び表示制御方法が実現される。
【図面の簡単な説明】
【００１０】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の操作表示部の構成を示す図である。
【図４】図４は、本発明の実施形態に係る画像形成装置の表示部に表示される表示画面と表示対象との関係を示す図である。
【図５】図５は、本発明の実施形態に係る画像形成装置の表示部に表示される複数の分割画面と表示対象との関係を示す図である。
【図６】図６は、本発明の実施形態に係る画像形成装置の表示部に表示される複数の分割画面と表示対象との関係を示す図である。
【図７】図７は、本発明の実施形態に係る画像形成装置の表示部に表示される複数の分割画面と表示対象との関係を示す図である。
【図８】図８は、本発明の実施形態に係る画像形成装置で実行される表示制御処理の一例を示すフローチャートである。
【図９】図９は、本発明の実施形態に係る画像形成装置で実行される画面分割処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［画像形成装置１０の概略構成］
まず、図１〜図３を参照しつつ、本発明の実施形態に係る画像形成装置１０の概略構成について説明する。ここで、図１は画像形成装置１０の構成を示す断面模式図である。また、図３は操作表示部６の構成を示す平面図である。
【００１３】
なお、以下においては、図３に示される操作表示部６において、紙面の上下方向が表示部６１の上下方向Ｄ１であり、紙面の左右方向が表示部６１の左右方向Ｄ２であるものとして説明を行う。
【００１４】
画像形成装置１０は、原稿から画像データを読み取るスキャン機能、及び画像データに基づいて画像を形成するプリント機能と共に、ファクシミリ機能、及びコピー機能などの複数の機能を有する複合機である。なお、本発明は、プリンター装置、ファクシミリ装置、及びコピー機などの画像形成装置に適用可能である。
【００１５】
図１及び図２に示されるように、画像形成装置１０は、ＡＤＦ１、画像読取部２、画像形成部３、給紙部４、制御部５、及び操作表示部６を備える。
【００１６】
ＡＤＦ１は、画像読取部２によって読み取られる原稿を搬送する。具体的に、ＡＤＦ１は、原稿セット部、複数の搬送ローラー、原稿押さえ、及び排紙部を備える。
【００１７】
画像読取部２は、原稿から画像データを読み取ることが可能である。具体的に、画像読取部２は、原稿台、光源、複数のミラー、光学レンズ、及びＣＣＤを備える。
【００１８】
画像形成部３は、画像読取部２で読み取られた画像データに基づいて、電子写真方式でシートにカラー又はモノクロの画像を形成することが可能である。また、画像形成部３は、外部のパーソナルコンピューター等の情報処理装置から入力された画像データに基づいて、シートに画像を形成することも可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。なお、画像形成部３は、インクジェット方式などの他の画像形成方式により画像を形成するものであってもよい。
【００１９】
給紙部４は、画像形成部３にシートを供給する。具体的に、給紙部４は、給紙カセット、及び複数の搬送ローラーを備える。画像形成装置１０では、給紙部４から供給されるシートにカラー又はモノクロの画像が形成されて、画像形成後の前記シートが前記排紙トレイに排出される。
【００２０】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＲＯＭに予め記憶された各種の制御プログラムが前記ＣＰＵによって実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２１】
操作表示部６は、画像形成装置１０におけるユーザーインターフェイスである。図２及び図３に示すように、操作表示部６は、表示部６１、タッチパネル６２、及びハードキー６３を備える。
【００２２】
表示部６１は、制御部５からの制御指示に応じて各種の情報を表示する。例えば、表示部６１は液晶ディスプレーである。
【００２３】
タッチパネル６２は、ユーザーによる表示部６１への操作を検出することが可能である。例えば、タッチパネル６２は、抵抗膜方式によりユーザーの指などの物体が表示部６１に接触した場合に表示部６１における前記物体との接触位置（タッチ位置）を検出する。なお、タッチパネル６２は、静電容量方式など、他の検出方式を用いて前記物体と表示部６１との接触を検出してもよい。
【００２４】
ハードキー６３は、ユーザーの操作に応じて制御部５に各種の情報を入力する。例えば、ハードキー６３は、画像形成装置１０の各部への給電制御に用いられる電源キー、及び各種ジョブの実行指示に用いられるスタートキーなどを含む。
【００２５】
［制御部５の構成］
次に、図２〜図７を参照しつつ、制御部５の構成について詳細に説明する。ここで、図４は、表示部６１に表示される表示画面Ｇ１と表示画面Ｇ１に一部が表示される表示対象Ｔ１との関係を示す図である。また、図５〜図７は、表示部６１に表示される複数の分割画面Ｇ１１〜Ｇ１２と表示対象Ｔ１との関係を示す図である。
【００２６】
図２に示されるように、制御部５は、表示処理部５１、第１移動処理部５２、分割表示処理部５３、第２移動処理部５４、禁止処理部５５、解除処理部５６、及び表示変更部５７を含む。
【００２７】
具体的に、制御部５の前記ＲＯＭには、制御部５の前記ＣＰＵに後述の表示制御処理（図８のフローチャート参照）を実行させるための表示制御プログラムが予め記憶されている。制御部５の前記ＣＰＵは、前記ＲＯＭに記憶された前記表示制御プログラムを実行する。これにより、制御部５は、表示処理部５１、第１移動処理部５２、分割表示処理部５３、第２移動処理部５４、禁止処理部５５、解除処理部５６、及び表示変更部５７として機能する。なお、前記表示制御プログラムは、ＣＤ、ＤＶＤ、フラッシュメモリーなどのコンピューター読み取り可能な記録媒体に記録されており、前記記録媒体から制御部５の前記ＥＥＰＲＯＭなどの記憶装置にインストールされてもよい。
【００２８】
表示処理部５１は、表示部６１の表示可能サイズを超えるサイズの表示対象Ｔ１（図４参照）の一部を表示する表示画面Ｇ１（図４参照）を表示部６１に表示させる。
【００２９】
例えば、表示対象Ｔ１は、上下方向Ｄ１（図３参照）における長さが、表示部６１の表示可能サイズを超える画像である。なお、表示対象Ｔ１は、左右方向Ｄ２（図３参照）における長さが、表示部６１の表示可能サイズを超える画像であってもよい。また、表示対象Ｔ１は、上下方向Ｄ１及び左右方向Ｄ２の両方における長さが、表示部６１の表示可能サイズを超える画像であってもよい。
【００３０】
例えば、表示対象Ｔ１は、画像形成装置１０で実行される印刷処理に関する複数の設定項目に対応する複数のアイコン画像が配置されたアイコン表示画像、前記印刷処理の実行前に表示される前記印刷処理の実行により出力される印刷物のイメージを示すプレビュー画像、及びウェブページなどである。
【００３１】
例えば、表示画面Ｇ１は、表示部６１の表示可能サイズと同じ、又は表示部６１の表示可能サイズより小さいサイズの画面である。例えば、表示画面Ｇ１には、表示対象Ｔ１における上下方向Ｄ１における上端部を含む一部領域が表示される。
【００３２】
第１移動処理部５２は、予め定められた移動操作に応じて、表示対象Ｔ１（図４参照）における表示画面Ｇ１に表示される表示範囲Ａ１（図４参照）を移動させる。
【００３３】
例えば、前記移動操作は、ユーザーが前記物体を表示部６１に接触させて、表示部６１における前記物体とのタッチ位置を表示部６１上で上下方向Ｄ１にスライド移動させる操作である（図４参照）。なお、前記移動操作は、ユーザーが前記物体を表示部６１に接触させて、表示部６１における前記物体とのタッチ位置を表示部６１上で左右方向Ｄ２にスライド移動させる操作であってもよい。また、前記移動操作は、ユーザーが前記物体を表示部６１に接触させて、表示部６１における前記物体とのタッチ位置を表示部６１上でいずれか一方向にスライド移動させる操作であってもよい。また、前記移動操作は、ハードキー６３への操作であってもよい。
【００３４】
ところで、画像形成装置１０のユーザーは、表示部６１に表示されている表示対象Ｔ１（図４参照）の一部の内容を確認する際に、表示部６１に表示されていない表示対象Ｔ１の他の一部の内容を並行して参照したいことがある。この場合、ユーザーは、前記移動操作によって、表示対象Ｔ１における表示範囲Ａ１を、表示対象Ｔ１における並行して内容を確認したい箇所各々の間でスクロールさせる。
【００３５】
しかしながら、表示対象Ｔ１における表示範囲Ａ１を表示対象Ｔ１における並行して内容を確認したい箇所各々の間で往復させる操作は、ユーザーにとって手間である。また、このような操作が前記印刷処理の実行中に行われる場合には、制御部５の前記ＣＰＵの処理負荷が増大して、前記印刷処理の実行速度が低下することがある。
【００３６】
これに対し、本発明の実施形態に係る画像形成装置１０では、以下に説明するように、ユーザーの操作の手間を軽減すると共に、前記ＣＰＵの処理負荷を軽減することが可能である。
【００３７】
分割表示処理部５３は、予め定められた分割操作に応じて、表示対象Ｔ１の少なくとも一部をそれぞれが表示する複数の分割画面Ｇ１１〜Ｇ１２（図５参照）を表示部６１に表示させる。
【００３８】
具体的に、分割表示処理部５３は、表示画面Ｇ１に替えて、表示画面Ｇ１の表示内容の一部をそれぞれが表示する複数の分割画面Ｇ１１〜Ｇ１２を表示部６１に表示させる。
【００３９】
例えば、前記分割操作は、ユーザーが前記物体を表示部６１に接触させて、表示部６１における前記物体とのタッチ位置を固定させたまま、表示部６１と前記物体とのタッチ状態を予め定められた基準時間を超えて継続させる操作である（図５参照）。なお、前記分割操作は、表示部６１における任意の位置に対する複数回のタップ（表示部６１にタッチして、予め定められた時間内に前記物体を前記表示部６１から離間させる）操作などであってもよい。また、前記分割操作は、ハードキー６３への操作であってもよい。
【００４０】
例えば、分割表示処理部５３は、タッチパネル６２によって前記分割操作が検出された場合に、表示部６１における前記分割操作が行われた位置を通過する左右方向Ｄ２に沿った分割線Ｌ１（図５参照）を表示させる。そして、分割表示処理部５３は、表示部６１における分割線Ｌ１より上側の領域に分割画面Ｇ１１を表示させる。また、分割表示処理部５３は、表示部６１における分割線Ｌ１より下側の領域に分割画面Ｇ１２を表示させる。なお、分割表示処理部５３は、前記分割操作に応じて三つ以上の分割画面を表示部６１に表示させてもよい。
【００４１】
例えば、分割画面Ｇ１１は、表示画面Ｇ１における分割線Ｌ１より上側の領域と同じ、又はそれより小さいサイズの表示領域を有する。例えば、分割画面Ｇ１１には、前記分割操作時における表示画面Ｇ１の表示内容のうち、分割線Ｌ１より上側の表示内容が表示される。
【００４２】
また、分割画面Ｇ１２は、表示画面Ｇ１における分割線Ｌ１より下側の領域と同じ、又はそれより小さいサイズの表示領域を有する。例えば、分割画面Ｇ１２には、前記分割操作時における表示画面Ｇ１の表示内容のうち、分割線Ｌ１より下側の表示内容が表示される。
【００４３】
なお、分割画面Ｇ１１及び分割画面Ｇ１２のいずれか一方には、表示対象Ｔ１の全部が表示されてもよい。例えば、分割画面Ｇ１２に、分割画面Ｇ１２の表示可能サイズに収まるサイズに縮小された表示対象Ｔ１が表示されてもよい。また、分割画面Ｇ１１及び分割画面Ｇ１２の表示内容は同一の内容であってもよい。また、分割画面Ｇ１１及び分割画面Ｇ１２は、両者の合計サイズが表示画面Ｇ１のサイズを超えていてもよい。また、分割画面Ｇ１１及び分割画面Ｇ１２のいずれか一方又は両方には、表示画面Ｇ１の表示内容の全部が表示されてもよい。
【００４４】
第２移動処理部５４は、前記移動操作に応じて、表示対象Ｔ１におけるいずれか一つの分割画面に対応する表示範囲を移動させる。ここに、第２移動処理部５４が、本発明における移動処理部の一例である。
【００４５】
具体的に、第２移動処理部５４は、タッチパネル６２によって分割画面Ｇ１１への前記移動操作が検出された場合に、検出された前記移動操作に応じて、表示対象Ｔ１における分割画面Ｇ１１に対応する表示範囲Ａ１１（図５参照）を移動させる。また、第２移動処理部５４は、タッチパネル６２によって分割画面Ｇ１２への前記移動操作が検出された場合に、検出された前記移動操作に応じて、表示対象Ｔ１における分割画面Ｇ１２に対応する表示範囲Ａ１２（図５参照）を移動させる。
【００４６】
禁止処理部５５は、いずれか一つの分割画面を指定する指定操作に応じて、表示対象Ｔ１における前記指定操作によって指定された指定分割画面に対応する表示範囲の移動を禁止する。
【００４７】
例えば、前記指定操作は、前記分割操作における表示部６１と前記物体とのタッチ状態が継続している間に行われる、指定される分割画面の表示領域への前記タップ操作である（図６参照）。なお、前記指定操作は、前記分割操作の後に行われる操作であってもよい。また、前記分割操作は、ハードキー６３への操作であってもよい。
【００４８】
ここで、禁止処理部５５は、表示対象Ｔ１における前記指定分割画面に対応する表示範囲の移動を禁止すると共に、前記指定分割画面における操作入力に応じた一部の処理の実行を禁止する。例えば、禁止処理部５５は、前記指定分割画面への後述する解除操作以外の操作に応じた処理の実行を禁止する。例えば、表示対象Ｔ１が前記アイコン表示画像である場合には、前記指定分割画面に含まれる前記アイコン画像への操作に応じた処理の実行が禁止される。なお、禁止処理部５５は、前記指定分割画面における操作入力に応じた全部の処理の実行を禁止してもよい。また、禁止処理部５５は、前記指定分割画面における操作入力に応じた処理の実行を禁止しなくてもよい。
【００４９】
また、禁止処理部５５は、前記指定分割画面を識別可能に表示させる。例えば、禁止処理部５５は、前記指定操作に応じて、前記指定分割画面の識別に用いられる識別画像Ｍ１（図６参照）を前記指定分割画面の領域内に表示させる。なお、禁止処理部５５は、表示部６１における前記指定分割画面の表示領域における明るさ、濃度、色調、透明度などを変化させて、前記指定分割画面を識別可能に表示させてもよい。また、禁止処理部５５は、前記指定分割画面を識別可能に表示させなくてもよい。
【００５０】
なお、禁止処理部５５は、分割表示処理部５３によって複数の分割画面が表示される場合に、それらの分割画面のうち予め定められた一つの分割画面に対応する表示範囲の移動を禁止してもよい。例えば、禁止処理部５５は、分割表示処理部５３によって分割画面Ｇ１１及び分割画面Ｇ１２が表示される場合に、常に分割画面Ｇ１１に対応する表示対象Ｔ１における表示範囲の移動を禁止してもよい。
【００５１】
解除処理部５６は、予め定められた解除操作に応じて、複数の分割画面に替えて表示画面Ｇ１を表示部６１に表示させる。
【００５２】
例えば、前記解除操作は、ユーザーが前記物体を表示部６１における識別画像Ｍ１の表示領域に接触させて、表示部６１における前記物体とのタッチ位置を上方向Ｄ１１又は下方向Ｄ１２へ移動させる操作である（図７参照）。なお、前記解除操作は、ユーザーが前記物体を表示部６１における前記指定分割画面の表示領域の任意の位置に接触させて、表示部６１における前記物体とのタッチ位置を上方向Ｄ１１又は下方向Ｄ１２へ移動させる操作であってもよい。また、前記解除操作は、表示部６１における前記物体とのタッチ位置を上下方向Ｄ１とは異なる方向へ移動させる操作であってもよい。また、前記解除操作は、ハードキー６３への操作であってもよい。
【００５３】
ここで、解除処理部５６は、複数の分割画面に替えて、複数の分割画面のうち前記解除操作の移動方向に基づいて特定されるいずれか一つの分割画面の表示内容を含む表示画面Ｇ１を表示部６１に表示させる。
【００５４】
例えば、解除処理部５６は、前記解除操作の移動方向が上方向Ｄ１１（図７参照）である場合は、分割画面Ｇ１２の表示内容を含む表示画面Ｇ１を表示部６１に表示させる。また、解除処理部５６は、前記解除操作の移動方向が下方向Ｄ１２（図７参照）である場合は、分割画面Ｇ１１の表示内容を含む表示画面Ｇ１を表示部６１に表示させる。
【００５５】
なお、前記解除操作の移動方向と特定される一つの分割画面との関係は、以上に述べた関係と異なるものであってもよい。また、解除処理部５６は、複数の分割画面のうち、予め定められた一つの分割画面の表示内容を含む表示画面Ｇ１を表示部６１に表示させてもよい。例えば、解除処理部５６は、前記解除操作が行われた場合に、常に分割画面Ｇ１１の表示内容を含む表示画面Ｇ１を表示部６１に表示させてもよい。
【００５６】
表示変更部５７は、前記指定操作に応じて、前記指定分割画面とは異なる分割画面の表示内容を表示画面Ｇ１の表示内容の一部又は全部とは異なる内容に変更する。
【００５７】
例えば、表示変更部５７は、表示対象Ｔ１における前記指定操作によって指定された前記指定分割画面とは異なる分割画面に対応する表示範囲を、表示対象Ｔ１における前記分割操作時の表示画面Ｇ１に対応する表示範囲Ａ１に隣接する位置へ移動させる。例えば、表示変更部５７は、分割画面Ｇ１１が前記指定分割画面に指定された場合に、表示対象Ｔ１における分割画面Ｇ１２に対応する表示範囲Ａ１２を、前記分割操作時の表示画面Ｇ１の表示範囲Ａ１（図４参照）の下側で表示範囲Ａ１に隣接する位置へ移動させる。また、表示変更部５７は、分割画面Ｇ１１が前記指定分割画面に指定された場合に、表示範囲Ａ１２を、前記分割操作時の表示画面Ｇ１の表示範囲Ａ１から離間した位置へ移動させてもよい。
【００５８】
なお、表示変更部５７は、前記指定分割画面とは異なる分割画面の表示内容を、前記指定分割画面の表示内容に関連する内容に変更してもよい。
【００５９】
例えば、表示変更部５７は、前記指定分割画面の表示内容に予め定められた特定画像が含まれる場合に、前記指定分割画面とは異なる分割画面の表示内容を、前記特定画像に関連付けられた関連画像を含む内容に変更してもよい。例えば、前記アイコン表示画像に含まれる前記アイコン画像各々の設定内容の相互の関連性に基づいて、前記アイコン画像各々を前記特定画像及び前記関連画像のいずれか一方又は両方に設定することが考えられる。
【００６０】
また、表示変更部５７は、前記指定分割画面の表示内容から文字情報を抽出可能である場合に、前記指定分割画面とは異なる分割画面の表示内容を、表示対象Ｔ１の前記指定分割画面に対応する表示範囲外における、抽出された文字情報の一部又は全部を含む範囲の内容に変更してもよい。
【００６１】
なお、制御部５は、禁止処理部５５及び表示変更部５７のいずれか一方又は両方を含んでいなくてもよい。
【００６２】
［表示制御処理］
以下、図８を参照しつつ、画像形成装置１０において制御部５により実行される表示制御処理の手順の一例について説明する。ここで、ステップＳ１１、Ｓ１２・・・は、制御部５により実行される処理手順（ステップ）の番号を表している。なお、前記表示制御処理は、ユーザー操作に応じて表示部６１に表示対象Ｔ１が表示される場合に実行される。
【００６３】
＜ステップＳ１１＞
まず、ステップＳ１１において、制御部５は、表示画面Ｇ１（図４参照）を表示部６１に表示させる。ここで、ステップＳ１１の処理は、制御部５の表示処理部５１により実行される。
【００６４】
＜ステップＳ１２＞
ステップＳ１２において、制御部５は、表示画面Ｇ１への前記移動操作が検出されたか否かを判断する。
【００６５】
ここで、制御部５は、表示画面Ｇ１への前記移動操作が検出されたと判断すると（Ｓ１２のＹｅｓ側）、処理をステップＳ１３に移行させる。また、表示画面Ｇ１への前記移動操作が検出されていなければ（Ｓ１２のＮｏ側）、制御部５は、処理をステップＳ１４に移行させる。
【００６６】
＜ステップＳ１３＞
ステップＳ１３において、制御部５は、ステップＳ１２で検出された前記移動操作に応じて、表示対象Ｔ１における表示画面Ｇ１に対応する表示範囲Ａ１を移動させる。ここで、ステップＳ１３の処理は、制御部５の第１移動処理部５２により実行される。
【００６７】
＜ステップＳ１４＞
ステップＳ１４において、制御部５は、前記分割操作が検出されたか否かを判断する。
【００６８】
ここで、制御部５は、前記分割操作が検出されたと判断すると（Ｓ１４のＹｅｓ側）、処理をステップＳ１５に移行させる。また、前記分割操作が検出されていなければ（Ｓ１４のＮｏ側）、制御部５は、処理をステップＳ１６に移行させる。
【００６９】
＜ステップＳ１５＞
ステップＳ１５において、制御部５は、後述する画面分割処理を実行する。
【００７０】
＜ステップＳ１６＞
ステップＳ１６において、制御部５は、前記移動操作及び前記分割操作とは異なる操作が検出されたか否かを判断する。例えば、制御部５は、表示画面Ｇ１に表示される表示対象Ｔ１が前記アイコン表示画像である場合において、表示画面Ｇ１に表示される前記アイコン画像への操作が検出された場合に、前記移動操作及び前記分割操作とは異なる操作が検出されたと判断する。
【００７１】
ここで、制御部５は、前記移動操作及び前記分割操作とは異なる操作が検出されたと判断すると（Ｓ１６のＹｅｓ側）、処理をステップＳ１７に移行させる。また、前記移動操作及び前記分割操作とは異なる操作が検出されていなければ（Ｓ１６のＮｏ側）、制御部５は、処理をステップＳ１８に移行させる。
【００７２】
＜ステップＳ１７＞
ステップＳ１７において、制御部５は、ステップＳ１６で検出された操作に対応する処理を実行する。例えば、制御部５は、前記アイコン画像への操作が検出された場合に、操作された前記アイコン画像に対応する処理を実行する。
【００７３】
＜ステップＳ１８＞
ステップＳ１８において、制御部５は、前記表示制御処理の終了を指示するユーザー操作が検出されたか否かを判断する。
【００７４】
ここで、制御部５は、前記表示制御処理の終了を指示するユーザー操作が検出されたと判断すると（Ｓ１８のＹｅｓ側）、前記表示制御処理を終了させる。また、前記表示制御処理の終了を指示するユーザー操作が検出されていなければ（Ｓ１８のＮｏ側）、制御部５は、処理をステップＳ１２に移行させる。そして、制御部５は、前記表示制御処理の終了を指示するユーザー操作が検出されるまでの間、前記移動操作、前記分割操作、及び前記移動操作及び前記分割操作とは異なる操作を受け付ける。
【００７５】
［画面分割処理］
次に、図９を参照しつつ、前記表示制御処理のステップＳ１５で実行される画面分割処理の手順の一例について説明する。なお、前記画面分割処理は、前記画面分割処理の実行中に前記表示制御処理の終了を指示するユーザー操作が検出された場合には、前記表示制御処理と共に終了される。
【００７６】
＜ステップＳ２１＞
まず、ステップＳ２１において、制御部５は、分割画面Ｇ１１及び分割画面Ｇ１２（図５参照）を表示部６１に表示させる。ここで、ステップＳ２１の処理は、制御部５の分割表示処理部５３により実行される。
【００７７】
＜ステップＳ２２＞
ステップＳ２２において、制御部５は、前記分割操作と共に前記指定操作が検出されたか否かを判断する。
【００７８】
ここで、制御部５は、前記分割操作と共に前記指定操作が検出されたと判断すると（Ｓ２２のＹｅｓ側）、処理をステップＳ２３に移行させる。また、前記分割操作と共に前記指定操作が検出されていなければ（Ｓ２２のＮｏ側）、制御部５は、処理をステップＳ２７移行させる。
【００７９】
＜ステップＳ２３＞
ステップＳ２３において、制御部５は、表示対象Ｔ１における前記指定操作によって指定された前記指定分割画面に対応する表示範囲の移動を禁止する。これにより、表示対象Ｔ１における前記指定分割画面とは異なる分割画面への前記移動操作の際に、誤って前記指定分割画面の表示範囲が移動されることが回避される。
【００８０】
＜ステップＳ２４＞
ステップＳ２４において、制御部５は、前記指定操作によって指定された前記指定分割画面における操作入力に応じた一部の処理の実行を禁止する。これにより、表示対象Ｔ１における前記指定分割画面とは異なる分割画面への前記移動操作の際に、誤って前記指定分割画面上の前記アイコン画像等が操作されて、ユーザーの意図しない処理が実行されることが回避される。
【００８１】
＜ステップＳ２５＞
ステップＳ２５において、制御部５は、前記指定操作によって指定された前記指定分割画面を識別可能に表示させる。例えば、制御部５は、前記指定分割画面に識別画像Ｍ１（図６参照）を表示させる。ここで、ステップＳ２３〜Ｓ２５の処理は、制御部５の禁止処理部５５により実行される。
【００８２】
＜ステップＳ２６＞
ステップＳ２６において、制御部５は、前記指定操作によって指定された前記指定分割画面とは異なる分割画面の表示内容を、表示画面Ｇ１の表示内容の一部とは異なる内容に変更する。ここで、ステップＳ２６の処理は、制御部５の表示変更部５７により実行される。
【００８３】
例えば、制御部５は、表示対象Ｔ１における前記指定分割画面とは異なる分割画面に対応する表示範囲を、表示対象Ｔ１における前記分割操作時の表示画面Ｇ１に対応する表示範囲Ａ１に隣接する位置へ移動させる。これにより、表示対象Ｔ１における前記指定分割画面とは異なる分割画面に対応する表示範囲が、既にユーザーによって内容が確認された表示対象Ｔ１における前記分割操作時の表示画面Ｇ１に対応する表示範囲Ａ１の外側に移動される。そのため、前記指定分割画面に含まれる内容と並行して参照したい内容を含む箇所を探すユーザーの操作の手間が軽減される。
【００８４】
なお、前記画面分割処理において、ステップＳ２２〜ステップＳ２６の処理は省略されてもよい。
【００８５】
＜ステップＳ２７＞
ステップＳ２７において、制御部５は、分割画面Ｇ１１及び分割画面Ｇ１２のいずれかへの前記移動操作が検出されたか否かを判断する。
【００８６】
ここで、制御部５は、分割画面Ｇ１１及び分割画面Ｇ１２のいずれかへの前記移動操作が検出されたと判断すると（Ｓ２７のＹｅｓ側）、処理をステップＳ２８に移行させる。また、分割画面Ｇ１１及び分割画面Ｇ１２のいずれかへの前記移動操作が検出されていなければ（Ｓ２７のＮｏ側）、制御部５は、処理をステップＳ２９移行させる。
【００８７】
＜ステップＳ２８＞
ステップＳ２８において、制御部５は、ステップＳ２７で検出された前記移動操作に応じて、表示対象Ｔ１における分割画面Ｇ１１又は分割画面Ｇ１２に対応する表示範囲を移動させる。ここで、ステップＳ２８の処理は、制御部５の第２移動処理部５４により実行される。
【００８８】
＜ステップＳ２９＞
ステップＳ２９において、制御部５は、前記表示制御処理のステップＳ１６と同様に、前記移動操作及び前記分割操作とは異なる操作が検出されたか否かを判断する。
【００８９】
ここで、制御部５は、前記移動操作及び前記分割操作とは異なる操作が検出されたと判断すると（Ｓ２９のＹｅｓ側）、処理をステップＳ３０に移行させる。また、前記移動操作及び前記分割操作とは異なる操作が検出されていなければ（Ｓ２９のＮｏ側）、制御部５は、処理をステップＳ３１に移行させる。
【００９０】
＜ステップＳ３０＞
ステップＳ３０において、制御部５は、前記表示制御処理のステップＳ１７と同様に、ステップＳ２９で検出された操作に対応する処理を実行する。
【００９１】
＜ステップＳ３１＞
ステップＳ３１において、制御部５は、前記解除操作が検出されたか否かを判断する。
【００９２】
ここで、制御部５は、前記解除操作が検出されたと判断すると（Ｓ３１のＹｅｓ側）、処理をステップＳ３２に移行させる。また、前記解除操作が検出されていなければ（Ｓ３１のＮｏ側）、制御部５は、処理をステップＳ２７に移行させる。
【００９３】
＜ステップＳ３２＞
ステップＳ３２において、制御部５は、ステップＳ３１で検出された前記解除操作に応じて、分割画面Ｇ１１及び分割画面Ｇ１２に替えて、表示画面Ｇ１を表示部６１に表示させる。ここで、ステップＳ３２の処理は、制御部５の解除処理部５６により実行される。
【００９４】
例えば、制御部５は、分割画面Ｇ１１及び分割画面Ｇ１２のうち、前記解除操作の移動方向に基づいて特定されるいずれか一つの分割画面の表示内容を含む表示画面Ｇ１を表示部６１に表示させる。これにより、ユーザーは、直観的な操作によって、前記解除操作後の表示画面Ｇ１の表示内容を選択することが可能である。
【００９５】
このように、前記表示制御処理では、前記分割操作に応じて、表示対象Ｔ１の一部を表示する表示画面Ｇ１に替えて、表示対象Ｔ１の一部をそれぞれが表示する分割画面Ｇ１１及び分割画面Ｇ１２が表示部６１に表示される。そのため、表示対象Ｔ１における表示範囲Ａ１が、表示対象Ｔ１におけるユーザーが並行して内容を確認したい箇所各々の間で往復される場合と比較して、ユーザーの操作の手間を軽減すると共に、前記ＣＰＵの処理負荷を軽減することが可能である。
【符号の説明】
【００９６】
１    ＡＤＦ
２    画像読取部
３    画像形成部
４    給紙部
５    制御部
６    操作表示部
１０  画像形成装置
５１  表示処理部
５２  第１移動処理部
５３  分割表示処理部
５４  第２移動処理部
５５  禁止処理部
５６  解除処理部
５７  表示変更部
６１  表示部
６２  タッチパネル
６３  ハードキー
【図１】
2018181098.tif 000003
【図２】
2018181098.tif 000004
【図３】
2018181098.tif 000005
【図４】
2018181098.tif 000006
【図５】
2018181098.tif 000007
【図６】
2018181098.tif 000008
【図７】
2018181098.tif 000009
【図８】
2018181098.tif 000010
【図９】
2018181098.tif 000011